(57)【要約】【課題】特定の文献に関連する参考文献を照会することができ、照会に係る労力的負担、時間的負担等を軽減することを可能とする文献照会システム等を提供する。【解決手段】検索端末装置３は、元文献１３が付帯するＩＣタグ１５から元文献１３の識別子及び書籍情報サーバ７への参照先を含むタグ情報を読み取り、検索条件を受け付け、タグ情報及び検索条件を図書館サーバ５に送信し、図書館サーバ５は、タグ情報及び検索条件に基づいて、蔵書データベース１９から参考文献に関する第１情報を抽出し、タグ情報に含まれる参照先に基づいて書籍情報サーバ７にアクセスし、タグ情報及び検索条件を送信し、書籍情報サーバ７は、タグ情報及び検索条件に基づいて書籍データベース２３から参考文献に関する第２情報を抽出して図書館サーバ５に送り、図書館サーバ５は、第１情報と第２情報とを用いて一覧情報を作成して検索端末装置に提供する。【選択図】図１
2006185085.tif 000002
【特許請求の範囲】
【請求項１】
蔵書データベースを備える図書館サーバと、書籍データベースを備える書籍情報サーバと、元文献が付帯するＩＣタグから前記元文献の識別子及び前記書籍情報サーバへの参照先を含むタグ情報を読み取るタグ情報読取手段を備え文献の検索操作を行う検索端末装置と、がネットワークを介して接続され互いに各種情報を送受可能な文献照会システムの図書館サーバであって、
前記検索端末装置から受信した元文献が付帯するＩＣタグから前記元文献の識別子及び前記書籍情報サーバへの参照先を含むタグ情報及び検索条件に基づいて、前記蔵書データベースから前記元文献の参考文献に関する第１情報を抽出する第１情報抽出手段と、
前記参照先に基づいて、前記書籍情報サーバにアクセスし、前記タグ情報及び前記検索条件を送信する送信手段と、
前記第１情報と、前記書籍情報サーバから受信した、前記参考文献に関する第２情報と、を用いて一覧情報を作成して前記検索端末装置に提供する一覧情報提供手段と、を具備することを特徴とする図書館サーバ。
【請求項２】
蔵書データベースを備える図書館サーバと、元文献が付帯するＩＣタグから前記元文献の識別子及び前記書籍情報サーバへの参照先を含むタグ情報を読み取るタグ情報読取手段を備え文献の検索操作を行う検索端末装置と、がネットワークを介して接続され互いに各種情報を送受可能な文献照会システムの図書館サーバであって、
前記タグ情報及び前記検索条件に基づいて、前記蔵書データベースから前記元文献の参考文献に関する第１情報を抽出する第１情報抽出手段と、
前記第１情報を用いて一覧情報を作成して前記検索端末装置に提供する一覧情報提供手段と、を具備することを特徴とする図書館サーバ。
【請求項３】
前記一覧情報は、前記参考文献の貸出予約状況を含み、
前記図書館サーバは、前記検索端末装置からの要求に応じて、前記参考文献の貸出予約処理を行うことを特徴とする請求項１または請求項２に記載の図書館サーバ。
【請求項４】
前記一覧情報は、前記参考文献の購入可否を含み、
前記図書館サーバは、前記検索端末装置からの要求に応じて、前記参考文献の購入処理を行い、該購入処理は、納期及び価格に基づいて発注先を決定することを特徴とする請求項１または請求項２に記載の図書館サーバ。
【請求項５】
前記第１情報抽出手段は、前記元文献と共に貸し出された文献を前記参考文献として抽出することを特徴とする請求項１または請求項２に記載の図書館サーバ。
【請求項６】
蔵書データベースを備える図書館サーバと、書籍データベースを備える書籍情報サーバと、がネットワークを介して接続され互いに各種情報を送受可能な文献照会システムの書籍情報サーバであって、
前記図書館サーバから受信した元文献に付帯するＩＣタグのタグ情報及び検索条件に基づいて、前記書籍データベースから参考文献に関する第２情報を抽出して前記図書館サーバに送る第２情報抽出手段を備えることを特徴とする書籍情報サーバ。
【請求項７】
前記第２情報抽出手段は、前記参考文献のヒット数が所定数未満の場合、概念検索を行うことを特徴とする請求項６に記載の書籍情報サーバ。
【請求項８】
前記検索条件は、利用目的を含み、
前記第２情報抽出手段は、前記利用目的に応じて区分毎に所定の件数を抽出することを特徴とする請求項６に記載の書籍情報サーバ。
【請求項９】
コンピュータを請求項１から請求項８までのいずれかに記載の図書館サーバあるいは書籍情報サーバとして機能させるプログラム。
【請求項１０】
コンピュータを請求項１から請求項８までのいずれかに記載の図書館サーバあるいは書籍情報サーバとして機能させるプログラムを記録した記録媒体。
【発明の詳細な説明】
【技術分野】
【０００１】
本発明は、所望の文献の照会を行う文献照会システム等に関する。より詳細には、参考文献の照会を行う文献照会システムの図書館サーバ及び書籍サーバ等に関する。
【背景技術】
【０００２】
従来、ＩＣタグを用いることにより、貸出、返却、無断持ち出し防止、図書の棚卸等の図書館業務の省力化が図られている。
ＩＣタグを内蔵した分類ラベルを図書に貼付し、図書の保管管理を行う図書類の保管管理システムが提案されている（例えば、［特許文献１］参照。）。
また、１つのシステムで全ての図書購入処理を行う図書購入システムが提案されている（例えば、［特許文献２］参照。）。
また、図書利用者側端末が希望する図書の条件を図書提供者側端末に送信し、図書提供者側端末が当該条件に合致する図書案内情報を図書利用者側端末に返信する、電子図書館サービス方法が提案されている（例えば、［特許文献３］参照。）。
また、利用者端末装置が複数の情報蓄積装置から予め利用者登録されたアクセス情報を取得して解析して必要な図書情報を取り出す電子図書館システムが提案されている（例えば、［特許文献４］参照。）。
【０００３】
【特許文献１】特開平１０−３３４１９８号公報
【特許文献２】特開２００２−１５７４７５号公報
【特許文献３】特開２００２−２５９６３１号公報
【特許文献４】特開平０８−０９５９９５号公報
【発明の開示】
【発明が解決しようとする課題】
【０００４】
しかしながら、従来の技術では、特定の文献に関連する参考文献を照会する場合、労力的負担、時間的負担等が増大するという問題点がある。
特定の図書を閲覧している場合、当該図書に関連する複数の参考文献の参照、当該参考文献の所在（配架場所、図書館内にあるかどうか、他の図書館にあるかどうか、貸出中であるかどうか、等）の確認等に相当の時間を要し、また、当該参考文献が自分の目的に合致したものであるかどうかに関しては、実際に各参考文献の内容を１冊ずつ確認する必要がある。
【０００５】
特定の課題についてレポートや論文を書く場合、必要となる複数の文献を探すのは困難である。補助的な文献は必ずしも基本文献に記載されている参考文献とは一致しないということもあり、所定のテーマについて記述が厚い基本文献、関連する補助的な文献等を探すのが困難である。
【０００６】
希望する図書が貸出中でもなく書架にもない場合、紛失か閲覧中かが判別できない。参考文献が図書館にない場合、当該参考文献を入手するのに相当の手間を要する。当該参考文献に関して、販売されているのか、価格、販売場所、出版社、書店の在庫、取次店の在庫、図書館への購入依頼の可否、納期等を確認するのが困難である。参考文献の一部分のみが必要であっても購入する場合、経済的負担が増大する。
【０００７】
本発明は、以上の問題点に鑑みてなされたものであり、特定の文献に関連する参考文献を照会することができ、照会に係る労力的負担、時間的負担等を軽減することを可能とする文献照会システム、図書館サーバ、書籍情報サーバ等を提供することを目的とする。
【課題を解決するための手段】
【０００８】
前述した目的を達成するために第１の発明は、蔵書データベースを備える図書館サーバと、書籍データベースを備える書籍情報サーバと、元文献が付帯するＩＣタグから前記元文献の識別子及び前記書籍情報サーバへの参照先を含むタグ情報を読み取るタグ情報読取手段を備え文献の検索操作を行う検索端末装置と、がネットワークを介して接続され互いに各種情報を送受可能な文献照会システムの図書館サーバであって、前記検索端末装置から受信した元文献が付帯するＩＣタグから前記元文献の識別子及び前記書籍情報サーバへの参照先を含むタグ情報及び検索条件に基づいて、前記蔵書データベースから前記元文献の参考文献に関する第１情報を抽出する第１情報抽出手段と、前記参照先に基づいて、前記書籍情報サーバにアクセスし、前記タグ情報及び前記検索条件を送信する送信手段と、前記第１情報と、前記書籍情報サーバから受信した、前記参考文献に関する第２情報と、を用いて一覧情報を作成して前記検索端末装置に提供する一覧情報提供手段と、を具備することを特徴とする図書館サーバである。
【０００９】
第１の発明では、検索端末装置は、元文献が付帯するＩＣタグから元文献の識別子及び書籍情報サーバへの参照先を含むタグ情報を読み取り、検索条件を受け付け、タグ情報及び検索条件を図書館サーバに送信し、図書館サーバは、タグ情報及び検索条件に基づいて、蔵書データベースから参考文献に関する第１情報を抽出し、タグ情報に含まれる参照先に基づいて書籍情報サーバにアクセスし、タグ情報及び検索条件を送信し、書籍情報サーバは、タグ情報及び検索条件に基づいて書籍データベースから参考文献に関する第２情報を抽出して図書館サーバに送り、図書館サーバは、第１情報と第２情報とを用いて一覧情報を作成して検索端末装置に提供する。
【００１０】
「検索端末装置」は、利用者が文献検索操作するための装置であり、文献に貼付あるいは内蔵されるＩＣタグの情報を読み取る読取装置を備える。
「図書館サーバ」は、公共図書館、私設図書室等が所蔵する文献に関する情報（蔵書データベース）を管理する装置である。
「書籍情報サーバ」は、出版社等により発行された書籍に関する情報（書籍データベース）を管理する装置である。
【００１１】
「元文献」は、実際に利用者の手元にある文献である。利用者は、検索端末装置を用いて、元文献に関連する参考文献を検索・照会する。
「ＩＣタグ」は、元文献に貼付あるいは内蔵され、タグ情報を記憶及び発信する無線ＩＣチップである。タグ情報は、元文献の識別子、書籍情報サーバへの参照先等を有する。
「識別子」は、文献を特定する符号、記号、番号等であり、例えば、ＩＳＢＮ（Ｉｎｔｅｒｎａｔｉｏｎａｌ  Ｓｔａｎｄａｒｄ  Ｂｏｏｋ  Ｎｕｍｂｅｒ）である。
「参照先」は、参照リンクであり、例えば、ＵＲＬ、ＩＰアドレスである。
「検索条件」は、文献検索を行う際に検索端末装置に入力されるものであり、例えば、キーワード、ページ範囲、章、節、発行年月日、言語、検索範囲等である。
【００１２】
「第１情報」は、図書館サーバの蔵書データベースから抽出される、参考文献に関する情報である。蔵書データベースからの抽出処理に関しては、元文献と共に貸し出された文献を参考文献として抽出するようにしてもよい。
「第２情報」は、書籍情報サーバの書籍データベースから抽出される、参考文献に関する情報である。また、書籍データベースからの抽出処理に関しては、参考文献のヒット数が所定数未満の場合、概念検索を行うようにしてもよい。概念検索は、指定のキーワードのみならず、上位概念あるいは下位概念のキーワードを用いて行うことができる。また、検索条件に利用目的が含まれる場合には、利用目的に応じて区分毎（図書、雑誌、論文誌、ニュース等の区分毎に）に所定の件数を抽出するようにしてもよい。
尚、第２情報に基づいて、蔵書データベースにおける検索を再度行うようにしてもよい。すなわち、書籍データベースから抽出した参考文献情報のＩＳＢＮ又は文献名称をキーにして蔵書データベースを検索し、参考文献が図書館の蔵書であるか否かや、貸出し可能であるかを検索する。
【００１３】
このような検索を行うことで、検索端末装置に提供される参考文献の一覧情報に、参考文献の貸出予約状況、購入可否等を併せて表示させるようにし、利用者の選択に応じて、貸出予約処理、購入処理等を行うようにすることもできる。
また、購入処理に関しては、納期及び価格に基づいて発注先を決定するようにしてもよい。
【００１４】
第１の発明の文献照会システムの図書館サーバでは、元文献が付帯するＩＣタグから読み取ったタグ情報、別途入力される検索条件等に基づいて、参考文献の検索処理が行われるので、参考文献の検索に係る負担を軽減し、かつ、所望の参考文献に迅速かつ的確に辿り着くことができる。
【００１５】
第２の発明は、蔵書データベースを備える図書館サーバと、元文献が付帯するＩＣタグから前記元文献の識別子及び前記書籍情報サーバへの参照先を含むタグ情報を読み取るタグ情報読取手段を備え文献の検索操作を行う検索端末装置と、がネットワークを介して接続され互いに各種情報を送受可能な文献照会システムの図書館サーバであって、前記タグ情報及び前記検索条件に基づいて、前記蔵書データベースから前記元文献の参考文献に関する第１情報を抽出する第１情報抽出手段と、前記第１情報を用いて一覧情報を作成して前記検索端末装置に提供する一覧情報提供手段と、を具備することを特徴とする図書館サーバである。
【００１６】
第２の発明では、検索端末装置は、元文献が付帯するＩＣタグから元文献の識別子及び参考文献の識別子を含むタグ情報を読み取り、検索条件を受け付け、タグ情報及び検索条件を図書館サーバに送信し、図書館サーバは、タグ情報及び検索条件に基づいて、蔵書データベースから参考文献に関する第１情報を抽出し、この第１情報を用いて一覧情報を作成して検索端末装置に提供する。
【００１７】
第１の発明では、検索端末装置は、ＩＣタグから元文献の識別子等を読み取るが、第２の発明では、検索端末装置は、ＩＣタグから元文献の識別子に加えて当該元文献の参考文献の識別子を併せて読み取る。図書館サーバは、元文献の識別子及び参考文献の識別子を用いて一括して蔵書データベースにおける検索処理を行う。
この場合、参考文献の検索・照会に際し、書籍情報サーバにアクセスする必要がなく、処理負担、検索所要時間等の軽減を図ることができる。
【００１８】
第３の発明は、蔵書データベースを備える図書館サーバと、書籍データベースを備える書籍情報サーバと、がネットワークを介して接続され互いに各種情報を送受可能な文献照会システムの書籍情報サーバであって、前記図書館サーバから受信した元文献に付帯するＩＣタグのタグ情報及び検索条件に基づいて、前記書籍データベースから参考文献に関する第２情報を抽出して前記図書館サーバに送る第２情報抽出手段を備えることを特徴とする書籍情報サーバである。
【００１９】
第３の発明は、本願発明に係る文献照会システムにおける書籍情報サーバに関する発明である。
【００２０】
第４の発明は、コンピュータを第１の発明〜第３の発明の図書館サーバあるいは書籍情報サーバとして機能させるプログラムである。
第５の発明は、コンピュータを第１の発明〜第３の発明の図書館サーバあるいは書籍情報サーバとして機能させるプログラムを記録したコンピュータ読取可能な記録媒体である。
上述のプログラムをＣＤ−ＲＯＭ等の記録媒体に保持させて流通させてもよいし、このプログラムを通信回線を介して送受することもできる。
【発明の効果】
【００２１】
本発明によれば、特定の文献に関連する参考文献を照会することができ、照会に係る労力的負担、時間的負担等を軽減することを可能とする文献照会システム、図書館サーバ、書籍情報サーバ等を提供することができる。
【発明を実施するための最良の形態】
【００２２】
以下、添付図面を参照しながら、本発明に係る文献照会システム、図書館サーバ、書籍情報サーバ等の好適な実施形態について詳細に説明する。なお、以下の説明及び添付図面において、略同一の機能構成を有する構成要素については、同一の符号を付することにより重複説明を省略することにする。
【００２３】
（１．構成）
（１−１．文献照会システム１の構成）
最初に、図１を参照しながら、本発明の第１の実施の形態に係る文献照会システム１の概略構成について説明する。
図１は、文献照会システム１の概略構成を示す図である。
図１に示すように文献照会システム１は、検索端末装置３、図書館サーバ５、書籍情報サーバ７がネットワーク９を介して接続されて構成される。
尚、「文献」、「蔵書」、「書籍」は、図書等の刊行物に限定されず、各種資料、記録媒体（ＤＶＤ、ＣＤ、テープ）等を含む。
【００２４】
検索端末装置３は、図書館、利用者の自宅等に設けられる。検索端末装置３は、利用者が文献検索、文献照会、文献購入依頼等を行うための装置であり、例えば、パーソナルコンピュータ、専用端末装置等である。
検索端末装置３には、タグリーダ１１が接続される。検索端末装置３とタグリーダ１１とは、ＵＳＢケーブル、ＩＥＥＥ１３９４ケーブル、ＳＣＳＩケーブル等の有線ケーブル、あるいは、赤外線等による無線通信により接続される。
【００２５】
タグリーダ１１は、ＩＣタグ１５に記録される情報を読み取る装置である。
元文献１３は、利用者の手元にある文献である。利用者は、検索端末装置３を用いて、元文献１３を元に関連する参考文献等を検索、照会する。
ＩＣタグ１５は、元文献１３に貼付あるいは内蔵される。ＩＣタグ１５には、元文献１３に関する情報等が記録される。
【００２６】
図書館サーバ５は、公共図書館、私設図書室等に設けられる。図書館サーバ５は、所蔵する文献に関する情報（蔵書ＤＢ１９）を管理する装置であり、例えば、サーバコンピュータ等である。図書館サーバ５は、ハードディスク等の記憶部１７に蔵書ＤＢ１９等を保持する。
【００２７】
書籍情報サーバ７は、出版社等に設けられる。書籍情報サーバ７は、書籍に関する情報（書籍ＤＢ２３）を管理する装置であり、例えば、サーバコンピュータ等である。書籍情報サーバ７は、ハードディスク等の記憶部２１に書籍ＤＢ２３、概念ツリー１７００、目的別ヒット数リスト１８００等を保持する。
尚、書籍情報サーバ７は、一般に出版社に設けられるが、書籍取次会社、図書館等に設置してもよいし、書籍情報提供会社や書籍販売会社に設置しても良い。書籍取次会社、図書館等に設置する場合、書籍ＤＢ２３の元データは、著作権等の取扱を含めた契約を締結して、各出版社から提供される。
【００２８】
ネットワーク９は、インターネット等のネットワークであり、有線、無線を問わない。ネットワーク９は、各種データを送受可能であれば特に限定されず、ＬＡＮ、ＷＡＮ、専用デジタル回線、ＡＴＭ、無線回線、衛星回線等を利用することができる。
【００２９】
（１−２．検索端末装置３、図書館サーバ５、書籍情報サーバ７のハードウェア構成）
次に、図２を参照しながら、検索端末装置３、図書館サーバ５、書籍情報サーバ７のハードウェア構成について説明する。
図２は、検索端末装置３、図書館サーバ５、書籍情報サーバ７として動作するコンピュータのハードウェア構成図である。
【００３０】
ＣＰＵ２０１は、ＲＡＭ２０２、ＲＯＭ２０３、ＨＤＤ２０４、記録媒体等に格納される実行プログラム、ＯＳプログラム、アプリケーションプログラム、各種データ等をＲＡＭ２０２上のワークエリアに呼び出して実行し、演算処理（四則演算や比較演算等）、ハードウェアやソフトウェアの動作制御等を行い、後述する各種機能を実現する。
【００３１】
ＲＡＭ２０２は、ＨＤＤ２０４等からロードされる実行プログラム、各種データ等を一時的に記憶するためのエリアを有すると共に、ＣＰＵ２０１が各種処理を行うために使用するワークエリアを備える。
ＲＯＭ２０３は、ＯＳと協働してハードディスク等の各種デバイスへの入出力を司るいわゆるＢＩＯＳ（Ｂａｓｉｃ  Ｉｎｐｕｔ  Ｏｕｔｐｕｔ  Ｓｙｓｔｅｍ）、コンピュータのブートプログラム等を記憶する。
ＨＤＤ２０４（ハードディスク）は、実行プログラム、ＯＳのプログラム、アプリケーションプログラム、各種データ等を記憶する。これらは必要に応じてＣＰＵ２０１の制御によりＲＡＭ２０２に読み出され実行される。
【００３２】
ネットワークＩ／Ｆ（インタフェース）２０５は、コンピュータとネットワーク９とを接続する装置である。コンピュータは、ネットワークＩ／Ｆ２０５を介して外部のコンピュータ等とデータ通信等を行うことができる。
記憶媒体ドライブ２０６は、ＣＤ−ＲＯＭ、ＣＤ−Ｒ／ＲＷ、ＤＶＤ―ＲＯＭ、ＤＶＤ−Ｒ／ＲＷ、ＤＶＤ−ＲＡＭ等から構成される。
ポインティングデバイス２０７、キーボード２０８は、入力部として機能し、各種指示、プログラム実行に必要なデータ等をＣＰＵ２０１に入力することができる。
【００３３】
ビデオＩ／Ｆ（インタフェース）２０９は、ディスプレイ装置２１０との接続を媒介する装置である。
ディスプレイ装置２１０は、ＣＲＴ、液晶画面等で構成され、ビデオＩ／Ｆ２０９を介して送られた信号に基づいて文字、画像等を表示画面上に表示する。
周辺機器Ｉ／Ｆ（インタフェース）２１１は、コンピュータに周辺機器を接続させるためのポートである。コンピュータは、周辺機器Ｉ／Ｆ２１１を介して周辺機器とのデータ等の送受信を行うことができる。周辺機器Ｉ／Ｆ２１１は、ＵＳＢ、ＩＥＥＥ１３９４等で構成され、通常、複数の周辺機器Ｉ／Ｆを有する。尚、周辺機器との接続形態は、有線、無線を問わない。
システムバス２１２は、上述の各装置を繋ぐバスである。
【００３４】
（１−３．タグリーダ１１、ＩＣタグ１５のハードウェア構成）
次に、図３及び図４を参照しながら、タグリーダ１１、ＩＣタグ１５のハードウェア構成について説明する。
図３は、タグリーダ１１の構成図である。
図４は、ＩＣタグ１５の構成図である。
【００３５】
タグリーダ１１は、ＩＣタグ１５が保持する情報（タグ情報３３）を読み取る装置である。
タグリーダ１１は、制御部２５、送受信部２７、出力部２９等から構成される。
制御部２５は、送受信部２７及び出力部２９の動作を制御する。
送受信部２７は、ＩＣタグ１５に電波を送信すると共に、ＩＣタグ１５から電波、電磁波等により送信される情報を受信する。
出力部２９は、読み取った情報を接続先の検索端末装置３に出力する。
【００３６】
ＩＣタグ１５は、微小な無線ＩＣチップ等であり、元文献１３に設けられる。ＩＣタグ１５は、電波、電磁波等によりタグリーダ１１との間で各種データを送受信する。
ＩＣタグ１５は、メモリ３１、発信部３５等から構成される。
メモリ３１は、タグ情報３３を保持する。
受発信部３５は、タグリーダ１１から受信した電波・電磁波に基づいてメモリ３１に記録する情報を読み出し、タグリーダ１１の送受信部２７に向けて発信する装置である。
【００３７】
（２．記憶部等に保持する情報）
次に、図５〜図７を参照しながら、図書館サーバ５の記憶部１７が保持する蔵書ＤＢ１９、書籍情報サーバ７の記憶部２１が保持する書籍ＤＢ２３、ＩＣタグ１５のメモリ３１が保持するタグ情報３３について説明する。
【００３８】
（２−１．蔵書ＤＢ１９）
図５は、蔵書ＤＢ１９の一態様を示す図である。
蔵書ＤＢ１９には、文献毎に、ＩＳＢＮ、図書分類、管理番号、書名、著者名、出版社名、発行年月日、購入年月日、貸出状況、所在等が記憶される。
【００３９】
（２−２．書籍ＤＢ２３）
図６は、書籍ＤＢ２３の一態様を示す図である。
書籍ＤＢ２３には、文献毎に、ＩＳＢＮ、書名、著者名、出版社名、発行年月日等の書誌事項の他、目次テキストデータ、本文（本文テキストデータ、訳注・前書き・後書き・参考文献・索引等のテキストデータ、写真・挿絵・イラスト等の画像データを含む。）、価格、在庫情報、絶版区分等が記憶される。紙の書籍に添付されているＣＤ−ＲＯＭやＤＶＤ等のプログラムやデータを含んでも良い。
【００４０】
（２−３．タグ情報３３）
図７は、タグ情報３３の一態様を示す図である。
タグ情報３３には、ＩＳＢＮ、参照先、書籍名等が記憶される。
ＩＳＢＮに関しては、元文献のＩＳＢＮのみならず、元文献の参考文献のＩＳＢＮが記録される場合もある。
参照先は、書籍情報サーバ７において検索処理等を行うためのＵＲＬ、ＩＰアドレス等である。
【００４１】
（３．文献照会システム１の動作）
次に、図８〜図１８を参照しながら、文献照会システム１の動作について説明する。
図８〜図１１に示す処理に関して、実際のシステムでは、複数の検索端末装置がランダムに検索要求要求及び照会要求を行い、マルチスレッドによる処理が行われる。本願発明は、マルチスレッドあるいはシングルスレッドの何れでも共通である。そこで、理解の容易のため、１台の検索端末装置が図書館サーバ及び書籍情報サーバとデータをやり取りして所望の書籍や参考文献を検索するものとして以下説明する。
【００４２】
また、図８〜図１１に示す処理に関して、検索端末装置３、図書館サーバ５、書籍情報サーバ７の記憶部（ＨＤＤ）には、相互にデータをやり取りするためのアプリケーションプログラムがインストールされる。検索端末装置３、図書館サーバ５、書籍情報サーバ７のＣＰＵは、上記のアプリケーションプログラムをＲＡＭのワークエリアにロードして、以下の各処理ステップを実行する。
【００４３】
（３−１．タグ情報３３が参考文献情報を保持していない場合）
図８は、文献照会システム１の動作を示すフローチャートである。
図８は、元文献１３に内蔵あるいは貼付されるＩＣタグ１５のタグ情報３３に当該元文献１３に関連する参考文献情報を保持していない場合の処理を示す。
図８において、ステップ８０１乃至ステップ８１５は検索端末装置３のＣＰＵの制御の下で実行され、ステップ８２１乃至ステップ８３７は図書館サーバ５のＣＰＵの制御の下で実行され、ステップ８４１乃至ステップ８４４は書籍情報サーバ７のＣＰＵの制御の下で実行される。
【００４４】
ステップ８０１では、利用者（図書館利用者、図書館職員等）が図書等の元文献１３を検索端末装置３に接続されたタグリーダ１１に近づけると、タグリーダ１１は、元文献１３に内臓あるいは貼付されたＩＣタグ１５が保持するタグ情報３３を読み取って検索端末装置３に転送する。
この場合、ＩＣタグ１５は、少なくとも元文献１３のＩＳＢＮ、書籍情報サーバ７において検索を行うための参照先（書籍情報サーバ７のＵＲＬ、ＩＰアドレス等）を保持するが、さらに、書籍名称等を保持するようにしてもよい。
【００４５】
ステップ８０２では、検索端末装置３は、タグ情報３３に基づいて、図１２に示すように、詳細文献検索用の検索画面１２００を表示する。検索画面１２００では、タグ情報３３に基づいて、書籍名１２０１、ＩＳＢＮ１２０２等が表示される。
尚、タグリーダ１１が複数のタグ情報３３を読取った場合（複数の文献がタグリーダ１１に近づいた場合）、図１２の画面を複数表示可能にする。この場合、図１２の画面の下部に「次の文献」のボタンが表示され、図１２の画面の上部に１／２等のタグ情報３３を読取った文献数を表示する（いずれも不図示）。
【００４６】
利用者は、検索画面１２００において、検索区分１２０３（「参考文献検索」、「キーワード検索」、「指定箇所検索」等）、検索対象参考文献１２０４（「当該図書館の蔵書のみ」、「蔵書以外も含む」等）、キーワード検索範囲１２０５（「書名のみ」、「目次のみ」、「全文」、「本文と参考文献」等）、キーワード１２０６、検索条件１２０７（「文献のページ範囲」、「文献の章」、「文献の節」、「参考文献の発行年月日」、「参考文献の言語」等）、検索条件の数値１２０８等を適宜入力する。
利用者が「検索」ボタン１２０９を押下すると、検索端末装置３は、処理をステップ８０３に進める。
【００４７】
尚、ステップ８０１及びステップ８０２において、元文献１３をタグリーダ１１に近づけない場合、あるいは、タグ情報を読み取れない場合、検索端末装置３は、図１２に示す詳細文献検索用の検索画面１２００に代えて、図１３に示す汎用文献検索用の検索画面１３００を表示する。この場合、利用者は、検索画面１３００において、書籍名１３０１、著者名１３０２、キーワード１３０６等を適宜入力する。利用者が「検索」ボタン１３０９が押下すると、検索端末装置３は、処理をステップ８０３に進める。
【００４８】
ステップ８０３〜ステップ８０４では、検索端末装置３は、検索画面１２００あるいは検索画面１３００において指定された検索条件を図書館サーバ５に送信し、一覧情報の受診待ち状態になる。
ステップ８２１では、図書館サーバ５は、検索端末装置３から検索条件を受信し、ＲＡＭのワークエリアに保持する。
ステップ８２２では、図書館サーバ５は、記憶部１７の蔵書ＤＢ１９を参照し、検索条件（キーワード、ページ範囲、章、節、発行年月日、言語、検索範囲等）に基づいて蔵書検索を行う。
【００４９】
ステップ８２２の蔵書検索において、キーワードが指定されていた場合、図書館サーバ５は、キーワードによる検索の他、キーワードがヒットした書籍の貸出状況（貸出中、貸出可、予約有無等）も蔵書ＤＢ１９から抽出し、ＲＡＭのワークエリアに記憶する。
ステップ８２２の蔵書検索において、キーワードが指定されていない場合、例えば、元文献１３のＩＣタグ１５から特定書籍のＩＳＢＮが読み取られた場合、図書館サーバ５は、当該特定書籍と一緒に貸し出された書籍を蔵書ＤＢ１９から抽出し、ＲＡＭのワークエリアに記憶する。
【００５０】
ステップ８２３〜ステップ８２４では、ＩＳＢＮが指定された場合、図書館サーバ５は、ＩＳＢＮ、キーワード、その他の照会キー（発行年月日等）、一緒に借りられることが多い文献のＩＳＢＮ（ステップ８２２の蔵書検索の結果）を書籍情報サーバ７に転送する。
ステップ８２３では、ＩＳＢＮが指定されなかった場合、図書館サーバ５は、キーワード、その他の照会キー（ページ範囲等）を書籍情報サーバ７に転送する。
ステップ８２４〜ステップ８２５では、図書館サーバ５は、書籍情報サーバ７からの文献情報の受信待ち状態になる。
【００５１】
ステップ８４１では、書籍情報サーバ７は、図書館サーバ５から送られる照会キーを受信し、ＲＡＭのワークエリアに記憶する。
ステップ８４２では、書籍情報サーバ７は、記憶部２１の書籍ＤＢ２３を参照し、受信した照会キーに基づいて文献検索を行う。尚、文献検索の詳細に関しては、図１０の説明で後述する。
尚、書籍ＤＢ２３は、書誌事項の他、目次情報のテキストデータ、本文全文のテキストデータ、写真、挿絵、イラスト等の画像データを記憶している。
ステップ８４３では、書籍情報サーバ７は、文献検索の結果である文献情報を図書館サーバ５に送信する。
【００５２】
ステップ８２５では、図書館サーバ５は、書籍情報サーバ７から受信した文献情報をＲＡＭのワークエリアに記憶する。
ステップ８２６では、図書館サーバ５は、ＲＡＭのワークエリアに記憶されている、蔵書検索の結果（ステップ８２２）と文献検索の結果（ステップ８４２）とをマージして、検索結果の一覧情報を生成し、検索端末装置３に送信する。
ここで蔵書検索の結果と文献検索の結果とをマージするとは、文献検索の結果に含まれるヒット文献のＩＳＢＮ又は文献をキーにしてステップ８２２と同様の蔵書検索を行い、文献検索のヒット文献が蔵書であるか否かと、もし蔵書であった場合は貸出しできるかの結果を抽出してステップ８２２の蔵書検索の結果とマージすることを意味する。その後ステップ８２７〜ステップ８２８で選択情報の受信待ち状態になる。
ステップ８０５では、検索端末装置３は、図書館サーバ５から一覧情報を受信する。
【００５３】
ステップ８０６〜ステップ８０８では、ステップ８０２において、詳細文献検索の検索画面１２００により検索条件１２０７が指定された場合、検索端末装置３は、図１４に示す一覧画面１４００により、検索した参考文献を一覧表示し、一覧画面１４００に入力された内容を選択情報として図書館サーバ５に送信する。
尚、図１４に示すように、一覧画面１４００では、文献名１４０１、文献の区分１４０２、貸出可否１４０３、購入可否１４０４（書籍の購入、電子データでの全部／一部購入可否含む）、貸出・予約１４０５、購入１４０６等が表示される。
【００５４】
貸出可能な書籍については、貸出・予約１４０５の欄にチェックが入れられ、申込ボタン１４０８が押下されると（ステップ８０７のＹｅｓ）、貸出手続きが行われる（ステップ８２９〜ステップ８３０）。
現在貸出中の書籍については、貸出・予約１４０５の欄にチェックが入れられ、申込ボタン１４０８が押下されると（ステップ８０７のＹｅｓ）、予約手続きが行われる（ステップ８３１〜ステップ８３２）。
購入可能な書籍については、購入１４０６の欄にチェックが入れられ申込ボタン１４０８が押下されると（ステップ８０７のＹｅｓ）、図１６に示す購入画面１６００を介して購入手続きが行われる（ステップ８１０〜ステップ８１３、ステップ８３３〜ステップ８３５）。
ステップ８１０〜ステップ８１３では、検索端末装置３は、購入依頼がある場合（ステップ８１０のＹｅｓ）、図書館サーバ５からの購入画面データを待ち（ステップ８１１）、当該購入画面データを受け取ると購入画面を表示し（ステップ８１２のＹｅｓ）、購入画面に入力された内容を購入情報として図書館サーバ５に送信する（ステップ８１３）。
【００５５】
ステップ８０６〜ステップ８０８では、ステップ８０２において、汎用文献検索の検索画面１３００により検索条件１３０７が指定された場合、検索端末装置３は、図１５に示す一覧画面１５００により、検索した参考文献を一覧表示し、一覧画面１５００に入力された内容を選択情報として図書館サーバ５に送信する。
尚、図１５に示すように、一覧画面１５００では、文献名１５０１、文献の区分１５０２、貸出可否１５０３、購入可否１５０４（書籍の購入、電子データでの全部／一部購入可否含む）、貸出・予約１５０５、購入１５０６等が表示される。
【００５６】
貸出し可能な書籍については、貸出・予約１５０５の欄にチェックが入れられ、申込ボタン１５０８が押下されると（ステップ８０７のＹｅｓ）、貸出手続きが行われる（ステップ８２９〜ステップ８３０）。
現在貸出中の書籍については、貸出・予約１５０５の欄にチェックが入れられ、申込ボタン１５０８が押下されると（ステップ８０７のＹｅｓ）、予約手続きが行われる（ステップ８３１〜ステップ８３２）。
購入可能な書籍については、購入１５０６の欄にチェックが入れられ申込ボタン１５０８が押下されると（ステップ８０７のＹｅｓ）、図１６に示す購入画面１６００を介して購入手続きが行われる（ステップ８１０〜ステップ８１３、ステップ８３３〜ステップ８３５）。
ステップ８１０〜ステップ８１３では、検索端末装置３は、購入依頼がある場合（ステップ８１０のＹｅｓ）、図書館サーバ５からの購入画面データを待ち（ステップ８１１）、当該購入画面データを受け取ると購入画面を表示し（ステップ８１２のＹｅｓ）、購入画面に入力された内容を購入情報として図書館サーバ５に送信する（ステップ８１３）。
【００５７】
ステップ８０７及びステップ８０９では、一覧画面１４００あるいは一覧画面１５００において、「前の画面」ボタン１４０７あるいは「前の画面」ボタン１５０７が押下されると（ステップ８０７のＮｏ、ステップ８０９のＹｅｓ）、検索端末装置３は、ステップ８０２からの処理を繰り返す。
ステップ８０７及びステップ８０８では、一覧画面１４００あるいは一覧画面１５００において、「貸出・予約」１４０５、「購入」１４０６、あるいは、「貸出・予約」１５０５、「購入」１５０６の欄に、チェックマークが入った状態で「申込」ボタン１４０８あるいは「申込」ボタン１５０８が押下されると（ステップ８０７のＹｅｓ）、検索端末装置３は、一覧画面１４００あるいは一覧画面１５００に入力された内容を選択情報として図書館サーバ５に送信する（ステップ８０８）。
【００５８】
ステップ８２８〜ステップ８３５では、図書館サーバ５は、検索端末装置３から選択情報を受信すると（ステップ８２８のＹｅｓ）、各文献毎にチェックマークに応じて貸出処理（ステップ８２９〜ステップ８３０）、予約処理（ステップ８３１〜ステップ８３２）、購入処理（ステップ８３３〜ステップ８３５）を適宜実行する。
ステップ８４４では、書籍情報サーバ７は、図書館サーバ５から購入依頼を受け取ると、受注処理を行う。
尚、購入処理（ステップ８３３〜ステップ８３５）の詳細に関しては、図１１の説明で後述する。
また、受注処理に関しては、書籍情報サーバ７に代えて、受注処理用の受注処理サーバ等を別途設けるようにしてもよい。
【００５９】
ステップ８３６では、図書館サーバ５は、一覧画面１４００あるいは一覧画面１５００に一覧表示された全ての文献について処理をしたか否かを判定する。
図書館サーバ５は、全ての文献について処理を終えた場合（ステップ８３６のＹｅｓ）、検索端末装置３に処理結果を送信して処理を終了し（ステップ８３７）、検索端末装置３は、処理結果を表示し（ステップ８１４〜ステップ８１５）、ステップ４０２からの処理を繰り返す。
図書館サーバ５は、全ての文献について処理を終えていない場合（ステップ８３６のＮｏ）、ステップ８２９からの処理を繰り返す。
【００６０】
（３−２．タグ情報３３が参考文献情報を保持している場合）
図９は、文献照会システム１の動作を示すフローチャートである。
図９は、元文献１３に内蔵あるいは貼付されるＩＣタグ１５のタグ情報３３に当該元文献１３に関連する参考文献情報を保持している場合の処理を示す。
【００６１】
図９において、ステップ９０１乃至ステップ９１５は検索端末装置３のＣＰＵの制御の下で実行され、ステップ９２１乃至ステップ９３４は図書館サーバ５のＣＰＵの制御の下で実行され、ステップ９４１は書籍情報サーバ７のＣＰＵの制御の下で実行される。
ステップ９０１では、利用者（図書館利用者、図書館職員等）が図書等の元文献１３を検索端末装置３に接続されたタグリーダ１１に近づけると、タグリーダ１１は、元文献１３に内臓あるいは貼付されたＩＣタグ１５が保持するタグ情報３３を読み取って検索端末装置３に転送する。
【００６２】
先述の図８に示す処理では、ＩＣタグ１５は、少なくとも元文献１３のＩＳＢＮ、書籍情報サーバ７において検索を行うためのＵＲＬあるいはＩＰアドレスを保持するものとして説明したが、図９に示す処理では、さらに、元文献１３に関連する参考文献のＩＳＢＮが記憶されている点が異なる。
【００６３】
ステップ９０３では、検索端末装置３は、検索画面１２００あるいは検索画面１３００において指定された検索条件と共に、元文献１３及び参考文献のＩＳＢＮを図書館サーバ５に送信する。
ステップ９２２では、図書館サーバ５は、検索端末装置３から送られた元文献１３及び参考文献のＩＳＢＮに基づいて蔵書検索を一括して行い、元文献１３と一緒に借りられる頻度に基づいて（例えば、上位５件）、記憶部１７の蔵書ＤＢ１９から参考文献を抽出することができる。
尚、ＩＣタグ１５は、元文献１３に関連する参考文献情報を保持するので、図８のステップ８２３〜ステップ８２５、ステップ８４１〜ステップ８４３に相当する処理は、図９には存在しない。
尚、図９の他の部分の処理に関しては、図８に示す処理と略同様であるので、説明を省略する。
【００６４】
（３−３．文献検索処理の詳細）
図１０は、書籍情報サーバ７における文献検索処理（図８：ステップ８４２）の詳細を示すフローチャートである。
【００６５】
書籍情報サーバ７は、図書館サーバ５から受信してＲＡＭのワークエリアに記憶した照会キーを読み込み（ステップ１００１）、照会キーにＩＳＢＮ指定が含まれるかを判定し、ＩＳＢＮが含まれる場合（ステップ１００２のＹｅｓ）、ステップ１００３〜ステップ１０１３の処理を行い、ＩＳＢＮ指定が含まれない場合（ステップ１００２のＮｏ）、ステップ１０２１〜ステップ１０２８の処理を行う。
【００６６】
照会キーにＩＳＢＮが含まれ（ステップ１００２のＹｅｓ）、さらに、キーワード指定が含まれる場合（ステップ１００３のＹｅｓ）、書籍情報サーバ７は、記憶部２１の書籍ＤＢ２３を参照し、キーワードに基づいて、一緒に注文されることが多い参考文献について全文検索を行う（ステップ１００４）。
書籍情報サーバ７は、全文検索でのヒット数が所定数（例えば、１０件）を超えるか否かを判定し、所定数に満たない場合（ステップ１００５のＮｏ）、記憶部２１の概念ツリー１７００参照して、キーワードの上位概念あるいは下位概念で再度全文検索（概念検索）を行う（ステップ１００６）。尚、概念検索（ステップ１００６）に関しては、図１７について後述する。
【００６７】
書籍情報サーバ７は、キーワードによる全文検索あるいは概念検索のヒット数を集計し、ヒット数及びキーワードの分布状況に基づいてスコアを計算し（ステップ１００７）、ヒットリストを作成する（ステップ１００８）。
【００６８】
尚、キーワードや概念のヒット箇所が目次内である場合、ヒット箇所の所定割合以上（例えば、５割以上）が特定の章や節に集中している場合、スコアは、高くなる。
また、書籍情報サーバ７は、元文献１３と一緒に注文される頻度が高く、かつ、キーワードのヒット数が多い文献を上位にしてヒットリストを作成する。
書籍情報サーバ７は、例えば、元文献１３と一緒に注文される頻度が高い（例えば、上位５件）文献について、順位、貸出回数、文献名、ＩＳＢＮ、キーワードのヒット数、スコアを有するヒットリストを作成し、あるいは、スコアが高い（例えば、上位５件）文献について、順位、スコア、キーワードのヒット数、文献名、ＩＳＢＮ，貸出回数を有するヒットリストを作成する。
【００６９】
照会キーにＩＳＢＮが含まれ（ステップ１００２のＹｅｓ）、さらに、キーワード指定が含まれない場合（ステップ１００３のＮｏ）、あるいは、ヒットリストを作成すると（ステップ１００８）、処理は、ステップ１００９に進む。
【００７０】
書籍情報サーバ７は、参考文献指定がある場合（ステップ１００９のＹｅｓ）、元文献１３の参考文献で一緒に借りられることが多い文献を突き合わせて参考文献を絞り込み（ステップ１０１０）、キーワード指定がある場合（ステップ１００８からステップ１００９に処理が進んだ場合）、ステップ１００４〜ステップ１００７と同様の処理により、全文検索、概念検索、ヒット数及びスコア集計を行う（ステップ１０１１）。
【００７１】
書籍情報サーバ７は、ＩＳＢＮで指定された書籍の参考文献リストに含まれ、かつ一緒に注文されることが多い文献のヒットリストを生成する（ステップ１０１２）。
書籍情報サーバ７は、例えば、元文献１３と一緒に注文される頻度が高い（例えば、上位５件）文献について、順位、貸出回数、文献名、ＩＳＢＮ、キーワードのヒット数及びスコア（キーワード指定がある場合）を有するヒットリストを作成し、また、キーワード指定があることを前提として、キーワードのヒット数が多い（例えば、上位５件）文献について、順位、キーワードのヒット数、文献名、ＩＳＢＮ、貸出回数、スコアを有する参考文献リストを生成し（ステップ１０１２）、処理を終わる。
【００７２】
ＩＳＢＮが指定され、キーワード指定もなく、参考文献指定もない場合（ステップ１００２のＹｅｓ、ステップ１００３のＮｏ、ステップ１００９のＮｏ）、書籍情報サーバ７は、記憶部２１の書籍ＤＢ２３を参照して、ＩＳＢＮが示す文献の本文のテキスト情報等を抽出する（ステップ１０１３）。
尚、このテキスト情報等を用いて、ダウンロード、印刷等を行い、複写サービス等を提供することができる。
【００７３】
照会キーにＩＳＢＮが含まれず（ステップ１００２のＮｏ）、さらに、キーワード指定が含まれる場合（ステップ１０２１のＹｅｓ）、書籍情報サーバ７は、上述のステップ１００４〜ステップ１００７と同様の処理を行い（ステップ１０２２〜ステップ１０２５）、順位、スコア、キーワードヒット数、文献名、ＩＳＢＮを含むヒットリストの元データを作成し、このヒットリストの元データから図書の利用目的に応じて、文献の種類別に、スコア上位の適切な件数の文献を選択して（ステップ１０２６）、ヒットリストを作成する（ステップ１０２８）。
尚、図書の利用目的は、検索画面１３００の「図書の利用目的」１３１０の欄により指定される。また、図書の利用目的に応じたヒットリスト作成処理に関しては、図１８について後述する。
【００７４】
照会キーにＩＳＢＮが含まれず（ステップ１００２のＮｏ）、さらに、キーワード指定も含まれない場合（ステップ１０２１のＮｏ）、書籍情報サーバ７は、著者名、発行年月日等の書誌事項に基づく検索を実行し（ステップ１０２７）、Ｎｏ．、文献名、ＩＳＢＮ、発行年月日等を含むヒットリストを生成する（ステップ１０２８）。
【００７５】
（３−３−１．概念ツリー１７００）
図１７は、概念ツリー１７００の一態様を示す図である。
図１７に示す概念ツリー１７００は、上位概念の語句と下位概念とが枝で結ばれ、ツリーを形成する。
書籍情報サーバ７は、指定のキーワードによる検索で所定のヒット数に満たない場合、概念ツリー１７００を参照して上位概念あるいは下位概念を用いて、所定のヒット数に達するまで順次検索を行う（図１０：ステップ１００６、ステップ１０２４）。
例えば、書籍情報サーバ７は、指定のキーワード「回線」１７０１について検索を行い、所定のヒット数に満たない場合、下位概念の「有線回線」１７０２、「無線回線」１７０３について検索を行う。
【００７６】
（３−３−２．目的別ヒット数リスト１８００）
図１８は、目的別ヒット数リスト１８００の一態様を示す図である。
図１８に示すように、目的別ヒット数リスト１８００は、図書の利用目的１８０１、グループ１８０２〜グループ１８０５の各フィールドを有する。
グループ１８０２〜グループ１８０５は、文献の区分（例えば、「図書」、「論文誌」等）及びヒットリストに含まれる数（例えば、「１０」、「２０」等）を示す。
書籍情報サーバ７は、記憶部２１に保持する目的別ヒット数リスト１８００を参照し、検索画面１３００の「図書の利用目的」１３１０の欄により指定された図書の利用目的に従って、文献の区分別に、スコア上位の適切な件数の文献を選択して（図１０：ステップ１０２６）、ソートを行いヒットリストを作成する（図１０：ステップ１０２８）。
尚、表示に関しては、第一グループ〜第四グループの順に、スペースあるいは線で区切って表示するようにしてもよい。
【００７７】
（３−４．購入処理の詳細）
図１１は、購入処理（図８：ステップ８３５、図９：ステップ９３２）における、図書館サーバ５の動作を示すフローチャートである。
尚、図１１に示す処理は、図書館サーバ５のＣＰＵの制御の下に実行される。
【００７８】
図書館サーバ５が検索端末装置３に購入画面を送信すると（図８：ステップ８３４、図９：ステップ９３１）、検索端末装置３は、図１６に示すような購入画面１６００を表示し、当該購入画面１６００に所定の事項が入力されると、購入情報として図書館サーバ５に送信し（図８：ステップ８１３、図９：ステップ９１３）、図書館サーバ５は、購入処理を行う（図１１）。
【００７９】
図１６の購入画面１６００において、「区分」１６０１は、購入の単位等を指定するフィールドであり、例えば、「書籍（全体）」、「書籍（部分・紙）」、「書籍（部分・データ）」等を選択可能であり、「部分」を指定した場合、「章」１６０２、「ページ」等を指定することができる。部分購入の場合、「購入」ボタン１６０３を押下すると、部分購入価格が表示された確認用のポップアップ画面が表示される。
「個人情報登録」１６０４では、「カード有効期限」１６０５及び「カード暗証番号」１６０６を除いた、氏名、電話番号、住所、支払方法、番号等を登録することができる。
【００８０】
検索条件指定で、購入予算（最大金額）、納期（入手期限）が指定された場合、図書館サーバ５は、それらを満足し、さらに、複数の購入先がある場合、それらを比較して納期を満足する範囲で最低価格の購入先から購入する処理を行う。そして、図書館サーバ５は、購入情報を書籍情報サーバ７等の注文先に送信する（図８：ステップ８４４、図９：ステップ９４１）。
【００８１】
図書館サーバ５は、書籍情報サーバ７を示す所定のＵＲＬに、所定の書式のデータ（例えば、ＸＭＬ等のタグ付きデータ等）に注文番号、ＩＳＢＮ、数量、新書／中古区分、申込者氏名、図書館サーバへの返信先情報（ＩＰアドレス、ポート番号、返信用ユーザＩＤ、パスワード等）を記載した価格納期照会データを送信する（ステップ１１０１）。
【００８２】
指定した文献を販売している書籍情報サーバ７が複数登録されている場合、図書館サーバ５は、各々の書籍情報サーバに対して１回づつ（合計すると複数回）価格納期照会データを送信し、送信した数に等しいレコード数を発注ワークファイルに追加する。購入する文献が複数種類ある場合、これらの処理が購入する種類の数だけ繰り返される（同一文献の複数購入は、１回の送信で処理される）。
【００８３】
発注ワークファイルには、注文番号、ＩＳＢＮ、数量、新書／中古区分、申込者氏名、価格区分、購入区分、照会送信時刻、発注送信時刻、書籍販売者名、納期、単価、価格等の各項目が記憶される。
価格区分は、通常「０」が記憶され、同一注文番号で最低単価のレコードには「１」が記憶される。
購入区分は、通常「０」が記憶され、購入することとなったレコードには「１」が記憶され、在庫切れ等で購入不可になった場合は「２」が記憶される。
送信時刻は、価格納期照会情報や発注情報を送信した時刻が記憶される。
単価は、当初「９９９９９（最大値）」が入力されており、回答を受信すると受信した単価が記憶される。尚、書籍販売者名の代りに書籍情報サーバのＩＤを記憶してもよい。
【００８４】
尚、書籍情報サーバ７の所定の注文受付用メールアドレスに、所定の題名（例えば、「書籍購入申込」）、所定の本文書式（例えば、１行目に「注文番号」、２行目に「ＩＳＢＮ」、３行目に「数量」、４行目に「新書／中古区分」、５行目に「申込者氏名」）を記載した電子メールを送信してもよい。
【００８５】
書籍情報サーバ７は、価格納期照会データを受信すると、注文番号、ＩＳＢＮ、数量、新書／中古区分、納期、単価、価格（単価×数量）、申込者氏名、書籍販売者名等を含む回答情報を図書館サーバ５の返信先情報に基づいて送信する。
図書館サーバ５は、回答情報を受信すると、注文番号と書籍販売者名をキーにして回答情報に基づいて発注ワークファイルを更新する。この受信処理は、図１１に示すフローチャートとは別プロセスで実行される。
【００８６】
図書館サーバ５は、発注ワークファイルを参照し、特定注文番号について最初に価格納期照会データを送信してから所定時間（例えば、３０分等）が経過したか否かを判定し（ステップ１１０２）、所定時間が経過した場合（ステップ１１０２のＹｅｓ）、処理をステップ１１１２に進め、所定時間が経過していない場合（ステップ１１０２のＮｏ）、処理をステップ１１０３に進める。
【００８７】
図書館サーバ５は、書籍情報サーバ７からの回答情報（価格、納期期限等）の受信待ち状態になり（ステップ１１０３）、一定の時間（例えば、３０秒等）が経過したら処理をステップ１１０４に進める。
図書館サーバ５は、発注ワークファイルを参照し、回答情報を受信したか否かを判定し（ステップ１１０４）、回答情報を受信した場合（ステップ１１０４のＹｅｓ）、処理をステップ１１０５に進める。回答情報を受信しなかった場合（ステップ１１０４のＮｏ）、処理をステップ１１０２に戻す。
【００８８】
図書館サーバ５は、回答情報の納期と、自身のＲＡＭのワークエリアに記憶されている当該注文番号の検索条件情報のうちの納期とを比較する（ステップ１１０５）。
【００８９】
図書館サーバ５は、回答情報の納期が、当該注文番号の検索条件情報の納期と等しいか早い場合、納期を満足すると判定する（ステップ１１０６のＹｅｓ）。また、図書館サーバ５は、自身のＲＡＭのワークエリアに記憶されている検索条件情報に納期が指定されていない場合、納期を満足すると判定する（ステップ１１０６のＹｅｓ）。
図書館サーバ５は、納期を満足した場合（ステップ１１０６のＹｅｓ）、処理をステップ１１０７に進め、納期を満足しなかった場合（ステップ１１０６のＮｏ）、処理をステップ１１０４に戻す。
【００９０】
図書館サーバ５は、注文番号をキーにして発注ワークファイルを参照し、今回受信した回答情報の価格を、発注ワークファイルにある同一注文番号をキーとする各レコードと比較する（ステップ１１０７）。
図書館サーバ５は、今回の回答情報の単価が発注ワークファイルに記憶された同一注文番号の他のレコードの価格よりも安い場合（ステップ１１０８のＹｅｓ）、処理をステップ１１０９に進め、高いか等しい場合（ステップ１１０８のＮｏ）、処理をステップ１１０３に戻す。
【００９１】
図書館サーバ５は、当該注文番号の今回の回答情報に対応する発注ワークファイルのレコードの価格区分を「１」に更新し（ステップ１１０９）、回答情報の受信がない状態のまま所定の時間経過すると（ステップ１１０３、ステップ１１０４のＮｏ、ステップ１１０２のＹｅｓ）、当該注文情報と価格区分＝「１」で特定される回答情報の送信元に発注情報を送信する（ステップ１１１１）。
【００９２】
発注情報は、照会情報に支払方法（支払い区分、カード番号等）が付加されたものである。発注情報を受信した書籍情報サーバ７は、当該図書館サーバ５の返信先情報に基いて、注文番号、ＩＳＢＮ、数量、新書／中古区分、納期、単価、価格（単価×数量）、申込者氏名、書籍販売者名、購入可否区分（受注ＯＫ＝「１」、受注ＮＧ＝「２」）等を含む回答情報を送信する。
図書館サーバ５は、回答情報を受信すると、注文番号及び書籍販売者名をキーにして回答情報に基いて発注ワークファイルの購入区分を「１（受注ＯＫ）」又は「２（受注ＮＧ）」に更新する。この受信処理は図１１のフローチャートとは別プロセスで実行される。
【００９３】
図書館サーバ５は、書籍情報サーバ７からの確認情報の受信待ち状態になり（ステップ１１１２）、一定の時間（例えば、３０秒）が経過したら、処理をステップ１１１３に進める。
図書館サーバ５は、ステップ１１１３において、発注ワークファイルを参照し、確認情報を受信したかを判定し、確認情報を受信した場合（購入区分＝「１」又は「２」）（ステップ１１１３のＹｅｓ）、処理をステップ１１１４に進める。
回答情報を受信しなかった場合（購入区分＝「０」）（ステップ１１１３のＮｏ）、処理をステップ１１１９に進める。
【００９４】
図書館サーバ５は、当該受注番号についての確認情報で受注ＮＧ（購入区分＝「２」）を受信したかを判定し（ステップ１１１４）、受信した場合（ステップ１１１４のＹｅｓ）、処理をステップ１１１８に進め、受信しなかった場合（購入区分＝「１」）（ステップ１１１４のＮｏ）、処理をステップ１１１５に進める。
【００９５】
図書館サーバ５は、同一受注番号で購入区分＝「１」以外の他のレコードを削除する（ステップ１１１５）。
図書館サーバ５は、複数種類の文献を発注した場合、全部の文献が受注ＯＫかを判定し、全件ＯＫである場合（ステップ１１１６のＹｅｓ）、処理をステップ１１１７に進め、全件ＯＫでない場合（ステップ１１１６のＮｏ）、ステップ１１１９に処理を進める。
ステップ１１１７では、全件の文献の購入処理が完了した旨のメッセージを図書館端末に送信する。
【００９６】
ステップ１１１８では、図書館サーバ５は、所定時間（例えば、発注情報を送信してから１０分等）が経過したら（ステップ１１１８のＹｅｓ）、処理をステップ１１２０に進め、未経過なら（ステップ１１１８のＮｏ）、処理をステップ１１１０に戻し、当該注文情報の次に安い単価のレコードの価格区分を「１」に更新する（ステップ１１１０）。
【００９７】
ステップ１１１９では、図書館サーバ５は、所定時間（例えば、発注情報を送信してから１０分等）が経過したら（ステップ１１１９のＹｅｓ）、処理をステップ１１２０に進め、未経過なら（ステップ１１１９のＮｏ）、ステップ１１１２に戻る。
ステップ１１２０では、図書館サーバ５は、一部の文献の購入処理が未完了である旨のメッセージを図書館端末に送信する（ステップ１１２０）。
【００９８】
（４．その他）
上述の本願発明に係る文献照会システムについては、種々の実施形態を採ることができる。
【００９９】
（４−１．）
各図書にＩＣタグを内臓しておき、各ＩＣタグに当該書籍のＩＳＢＮと当該図書の参考文献一覧ファイルへの参照リンクを記憶させておく。参照リンクから参考文献ファイルにアクセスすると、参考文献のＩＳＢＮ（複数の場合あり）が返される。返ってきたＩＳＢＮをキーにして、図書館の蔵書ＤＢを検索し、蔵書の有無、貸出中か否か、図書の収蔵位置を検索端末装置に表示する。蔵書のうち貸出可能な図書については、チェックマークを入れることで容易に仮予約できる。この場合、３０分以内に貸出カウンタに持参しない場合、仮予約が削除されるようにしてもよい。蔵書でない場合は、提携図書館での蔵書の有無と貸出可否が表示される。提携図書館の蔵書にもない図書は出版社の購入ページへのリンクが表示される。購入は電子データ（図書の一部データの場合を含む）でも可能である。
【０１００】
（４−２．）
各図書にＩＣタグを内臓しておき、各ＩＣタグに当該図書の全文ＤＢへの参照リンクを記憶させておく。利用者が図書館等の検索端末装置からテーマを示すキーワードを入力すると、参照リンクから入力されたキーワードをキーにして全文ＤＢを検索する。キーワードにヒットした図書のうち、ヒット回数が多い文献が基本文献になる可能性が高い。また、ヒット件数が比較的多い（例えば、上位１０位以内程度）文献で、かつ、基本文献よりも発行日付が新しい図書や雑誌が特に比較的新しい情報を確認可能な補助的文献になる可能性が高い。さらに、当該図書と過去一緒に貸し出された頻度が高い文献で、かつ、当該書籍の参考文献として紹介されている文献は有用な文献である可能性が高い。これらの文献を容易に検索及び抽出することを可能にする。
【０１０１】
（４−３．）
貸出中、蔵書にない等の事情により、検索された参考文献を即座に入手できない場合、文献照会システムにおいて、近隣の提携図書館の蔵書及び貸し出し可否を照会して結果を表示したり、図書館の購入タイミング（意思決定期間、手配期間）から間に合うかどうかを検索したり、「近隣書店の在庫を検索」→「取次の在庫」→「出版社の購入サイト」の順に図書の購入を試みるようにしてもよい。また、出版社の購入サイトで電子書籍データのダウンロード（書籍全部、一部のみ等）を指定可能とするようにしてもよい。この場合、購入者毎に電子透かしを入れることが望ましい。
【０１０２】
（５．効果等）
本願発明に係る文献照会システムでは、元文献が付帯するＩＣタグから読み取ったタグ情報、別途入力される検索条件等に基づいて、参考文献の検索処理が行われるので、参考文献の検索に係る負担を軽減し、かつ、所望の参考文献に迅速かつ的確に辿り着くことができる。
また、ＩＣタグから元文献の識別子に加えて当該元文献の参考文献の識別子を併せて読み取り、元文献の識別子及び参考文献の識別子を用いて一括して蔵書データベースにおける検索処理を行うことにより、参考文献の検索・照会に際し、必ずしも、書籍情報サーバにアクセスする必要がなく、処理負担、検索所要時間等の軽減を図ることができる。
【０１０３】
以上、添付図面を参照しながら、本発明に係る文献照会システム、図書館サーバ、書籍情報サーバ等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【０１０４】
尚、上述の処理を行うプログラムをＣＤ−ＲＯＭ等の記録媒体に保持させて流通させてもよいし、このプログラムを通信回線を介して送受することもできる。
【図面の簡単な説明】
【０１０５】
【図１】文献照会システム１の概略構成を示す図
【図２】コンピュータのハードウェア構成図
【図３】タグリーダ１１の構成図
【図４】ＩＣタグ１５の構成図
【図５】蔵書ＤＢ１９の一態様を示す図
【図６】書籍ＤＢ２３の一態様を示す図
【図７】タグ情報３３の一態様を示す図
【図８】文献照会システム１の動作を示すフローチャート
【図９】文献照会システム１の動作を示すフローチャート
【図１０】文献検索処理の詳細を示すフローチャート
【図１１】購入処理の詳細を示すフローチャート
【図１２】詳細文献検索用の検索画面１２００を示す図
【図１３】汎用文献検索用の検索画面１３００を示す図
【図１４】一覧画面１４００を示す図
【図１５】一覧画面１５００を示す図
【図１６】購入画面１６００を示す図
【図１７】概念ツリー１７００の一態様を示す図
【図１８】目的別ヒット数リスト１８００の一態様を示す図
【符号の説明】
【０１０６】
１………文献照会システム
３………検索端末装置
５………図書館サーバ
７………書籍情報サーバ
９………ネットワーク
１１………タグリーダ
１３………元文献
１５………ＩＣタグ
１７、２１………記憶部
１９………蔵書データベース
２３………書籍データベース
３３………タグ情報
１７００………概念ツリー
１８００………目的別ヒット数リスト
【図１】
2006185085.tif 000003
【図２】
2006185085.tif 000004
【図３】
2006185085.tif 000005
【図４】
2006185085.tif 000006
【図５】
2006185085.tif 000007
【図６】
2006185085.tif 000008
【図７】
2006185085.tif 000009
【図８】
2006185085.tif 000010
【図９】
2006185085.tif 000011
【図１０】
2006185085.tif 000012
【図１１】
2006185085.tif 000013
【図１２】
2006185085.tif 000014
【図１３】
2006185085.tif 000015
【図１４】
2006185085.tif 000016
【図１５】
2006185085.tif 000017
【図１６】
2006185085.tif 000018
【図１７】
2006185085.tif 000019
【図１８】
2006185085.tif 000020